(57)【特許請求の範囲】
【請求項１】
プラグケース内に回転自在にプラグを挿入してなり、
前記プラグには、プラグケース側からプラグ中心方向への付勢力を与えられて複数のタンブラピンが装着され、
プラグに形成されるキー挿入溝に真正な施解錠キーが挿入された際にタンブラピンの端部をプラグケースとプラグとの回転境界面に位置させてプラグの回転を許容するシリンダ錠であって、
前記プラグには、該プラグに挿入される施解錠キーの幅広面に対して異なった角度で進退し、かつ、軸中心線がプラグの回転中心軸上で交わるタンブラピンの対をプラグの長手方向に並べたタンブラ群の２群をプラグの長手方向に異なった群に属するタンブラピンが交互に並ぶように配列し、
前記２群のタンブラ群は、施解錠キーの幅狭面の幅方向の中心を通るキー挿入溝の幅方向の中心線に対して線対称に配置されるとともに、
前記いずれか一方のタンブラ郡内の一のタンブラ列は、他方のタンブラ群内のタンブラ対の交差角を分割する位置に配置され、
かつ、キー挿入溝には、施解錠キーの幅狭面側に突出し、異なったタンブラ群に属して該幅狭面側で近接するタンブラピン間に生じる工具等の挿入スペースを狭めるとともに施解錠キーのガイドレールを兼ねるＶ字状の突出部が設けられるシリンダ錠。
【請求項２】
施解錠キーをキー挿入溝に挿入しない状態において、前記タンブラ対を構成する２個のタンブラピンが、各々感知部の先端を互いにプラグの回転中心軸上で接触させてキー挿入溝内へ突出する請求項１記載のシリンダ錠。
【発明の詳細な説明】
【０００１】
【発明の属する技術分野】
本発明はシリンダ錠に関するものである。
【０００２】
【従来の技術】
一般に、施解錠キーの側面に対して所定角度傾斜した方向からコード形成用凹部を形成することは、倣い加工機等を使用した施解錠キーの複製を困難にするために有効な手段であり、このような施解錠キーを使用するシリンダ錠としては、実開昭６２−１４９５６１号公報記載のものが知られている。この従来例において、プラグケース内に回転自在に挿入されるプラグにはキー挿入溝の隅角部に向かって進退する２列のタンブラ列が配置されて構成される。
【０００３】
【発明が解決しようとする課題】
しかし、上述した従来例においては、キー未挿入状態においてタンブラピンの先端がキー挿入溝内に個別に突出した状態であるために、針金、あるいは杆状の工具を使用した不正解錠操作が比較的容易であるという欠点を有する。
【０００４】
本発明は、以上の欠点を解消すべくなされたものであって、施解錠キーの複製が困難で、かつ、不正解錠操作が不可能なシリンダ錠の提供を目的とする。
【０００５】
【課題を解決するための手段】
本発明によれば上記目的は、
プラグケース１内に回転自在にプラグ２を挿入してなり、
前記プラグ２には、プラグケース１側からプラグ２中心方向への付勢力を与えられて複数のタンブラピン５が装着され、
プラグ２に形成されるキー挿入溝８に真正な施解錠キー３が挿入された際にタンブラピン５の端部をプラグケース１とプラグ２との回転境界面７に位置させてプラグ２の回転を許容するシリンダ錠であって、
前記プラグ２には、該プラグ２に挿入される施解錠キー３の幅広面４に対して異なった角度で進退し、かつ、軸中心線５ａがプラグ２の回転中心軸２ａ上で交わるタンブラピン５の対をプラグ２の長手方向に並べたタンブラ群６の２群をプラグ２の長手方向に異なった群に属するタンブラピン５が交互に並ぶように配列し、
前記２群のタンブラ群６、６は、施解錠キー３の幅狭面９の幅方向の中心を通るキー挿入溝８の幅方向の中心線に対して線対称に配置されるとともに、
前記いずれか一方のタンブラ郡６内の一のタンブラ列は、他方のタンブラ群６内のタンブラ対１１の交差角θを分割する位置に配置され、
かつ、キー挿入溝８には、施解錠キー３の幅狭面９側に突出し、異なったタンブラ群６に属して該幅狭面９側で近接するタンブラピン５，５間に生じる工具等の挿入スペースを狭めるとともに施解錠キー３のガイドレールを兼ねるＶ字状の突出部１０が設けられるシリンダ錠を提供することにより達成される。
【０００６】
プラグ２にはプラグ２の長手方向に異なったタンブラ群６に属するタンブラ対１１が交互に配置される。各タンブラ対１１のタンブラピン５は軸中心線５ａがプラグ２の回転中心軸２ａ上で交わるように配置され、施解錠キー３が挿入されていない状態では図３に示すように、例えばプラグケース１に装着されるドライブピン１８を介してタンブラピン５に付与されるプラグ２中心方向への付勢力により先端がプラグ２の回転中心軸２ａ上、あるいはその近傍まで飛び出してキー挿入溝８内に突出する。タンブラピン５の突出状態において、タンブラピン５のプラグケース１側の端部はプラグ２とプラグケース１との回転境界面７に一致せず、プラグ２の回転は禁止される。
【０００７】
図４に示すように、キー挿入溝８に真正な施解錠キー３を挿入すると、タンブラピン５のキー挿入溝８内への突出方向に向いて開放するキーコード形成凹部１９に各タンブラピン５の先端が当接して他端がプラグ２とプラグケース１の回転境界面７に位置し、プラグ２の回転が許容される。かかるシリンダ錠に使用される施解錠キー３は、幅広面４に対して所定の角度で傾斜するキーコード形成凹部１９を備え、さらに、幅狭面９には突出部１０が嵌合するためのガイド溝を有するために、倣い加工機を使用した施解錠キー３の複製が困難になる。
【０００８】
また、Ｖ字状の突出部１０が針金、あるいは杆状の工具等の挿入スペースを狭くするのに加え、異なった方向から突出する手前側のタンブラ対１１が後方のタンブラ対１１へのアクセス経路を閉塞するために、上記工具等をキー挿入溝８内に差し込んで各々のタンブラピン５を操作してシリンダ錠を不正開錠することができない。
【０００９】
また、シリンダ錠は、
プラグケース１内に回転自在にプラグ２を挿入してなり、
前記プラグ２には、該プラグ２に挿入される施解錠キー３の幅広面４に対して異なった角度で進退し、かつ、軸中心線５ａがプラグ２の回転中心軸２ａ上で交わるタンブラピン５の対を各タンブラピン５にプラグケース１側からプラグ２中心方向への付勢力を与えてプラグ２の長手方向に配列し、
プラグ２に真正な施解錠キー３が挿入された際にタンブラピン５の端部をプラグケース１とプラグ２との回転境界面７に位置させてプラグ２の回転を許容するシリンダ錠であって、
前記少なくとも一のタンブラ対１１は、施解錠キー３に保持され、該施解錠キー３の厚み方向に移動自在なフローティングボール１３を押し出す駆動ピン１２と、フローティングボール１３の移動に追随してフローティングボール１３の移動方向に移動する従動ピン１４とからなるように構成することができる。
【００１０】
プラグ２にはプラグ２中心方向に付勢されるタンブラピン５が装着される。タンブラピン５は軸中心線５ａがプラグ２の回転中心軸２ａ上で交わる２本を対としてプラグ２の長手方向に並べられ、タンブラ群６を構成する。
【００１１】
キー挿入溝８に真正な施解錠キー３を挿入すると、上述したように、タンブラピン５のキー挿入溝８内への突出方向に向いて開放するキーコード形成凹部１９に各タンブラピン５の先端が当接することから、タンブラピン５はプラグケース１側に押し出され、他端がプラグ２とプラグケース１の回転境界面７に位置してプラグ２の回転が許容される。
【００１２】
このように構成すると、タンブラ群中の任意のタンブラ対１１は、施解錠キー３に保持されたフローティングボール１３に対応し、プラグ２中心方向に移動してフローティングボール１３を押し出す駆動ピン１２と、フローティングボール１３の移動によりプラグケース１側に押し出される従動ピン１４とから構成される。駆動ピン１２と従動ピン１４のプラグケース１側端部がプラグケース１とプラグ２との回転境界面７に一致してプラグ２の回転が許可されるか否かは解錠状態におけるフローティングボール１３の位置により決定され、施解錠キー３単体ではフローティングボール１３は移動自在なために、解錠時のフローティングボール１３の位置を倣い加工機等で再現することが不可能で複製はできない。
【００１３】
以上のシリンダ錠には、
プラグケース１内に複数のタンブラピン５を備えたプラグ２を回転自在に挿入したシリンダ錠を施解錠する施解錠キー３であって、プラグ２のキー挿入溝８に挿入されるブレード部１５には該ブレード部１５の幅広面４に対して直交方向に開設される有底のボール収容孔１６と、ボール収容孔１６の開放面に対して反対面側から幅広面４に対して斜め方向に穿孔されてボール収容孔１６に連通するボールアクセス孔１７が設けられるとともに、前記ボール収容孔１６内には球状のフローティングボール１３が移動自在に収容される施解錠キー３が使用できる。
【００１４】
この場合、フローティングボール１３が装着されていることからキーの複製が困難なばかりでなく、ボールアクセス孔１７とボール収容孔１６とが一直線上に配列されていないことから以下の利点がある。図６はボールアクセス孔１７とボール収容孔１６とを一直線上に配列した場合を示す説明図で、プラグケース１には駆動ピン１２と従動ピン１４に対応するドライブピン１８が装着される。図６（ａ）に示すように、施解錠キー３がプラグ２のキー挿入溝８内に挿入された状態でボール収容孔１６は従動ピン１４に対峙するとともに、ボールアクセス孔１７は駆動ピン１２に対峙しており、駆動ピン１２側のドライブピン１８を付勢する圧縮スプリングが従動ピン１４側より強いため、ドライブピン１８によりプラグ２回転中心方向に付勢される駆動ピン１２はボールアクセス孔１７内に進入してフローティングボール１３を反対側に押し出す。ボール収容孔１６に進入する従動ピン１４を従動側ドライブピン１８の付勢力に抗して移動させ、フローティングボール１３を押し出すためには、従動ピン１４に対応するドライブピン１８の付勢力を駆動ピン１２に対応するドライブピン１８の付勢力に比して弱くしておく必要があり、この後、プラグ２を１８０°回転させると、図６（ｂ）に示すように、ボールアクセス孔１７が従動ピン１４に、ボール収容孔１６が駆動ピン１２に対応する。この状態では、フローティングボール１３は従動ピン１４により押されて正規の位置に静止することができず、駆動ピン１２と従動ピン１４の端部はプラグ２とプラグケース１との回転境界面７からずれてプラグ２を回転させることができない。
【００１５】
これに対し、上述のように構成した場合には、プラグ２を１８０°あるいはその他の角度に回転させても初期回転位置以外で駆動ピン１２、および従動ピン１４がドライブピン１８に対峙することはないために、付勢力の逆転が生じることがなく、上記不具合は発生しない。
【００１６】
【発明の実施の形態】
シリンダ錠は、図１〜４に示すように、プラグケース１内にプラグ２を回転自在に挿入して形成される。プラグ２は円柱形状をなし、その中央部にプラグ２の回転中心方向に延びるキー挿入溝８が形成される。キー挿入溝８は後述する施解錠キー３のブレード部１５の一般部断面形状に一致したほぼ矩形状断面を有し、施解錠キー３の幅狭面対応面８ａ、８ａ'にはＶ字状の突出部１０が設けられる。また、図３に示すように、キー挿入溝８は、中心８ｂがプラグ２の回転中心からオフセット量δだけ偏心した位置に形成される。
【００１７】
上記プラグ２には複数のタンブラピン５が装着される。各タンブラピン５は太径部５ｂと細径部５ｃを有する断面円形の段付きピンであり、細径部５ｃの先端には截頭円錐形状の感知部５ｄを有する。これらタンブラピン５は、プラグ２に穿孔されたタンブラ挿通孔２０内に感知部５ｄがキー挿入溝８を向く姿勢で移動自在に収容され、軸中心線５ａがプラグ２の回転中心を通過するように配置される。また、タンブラ挿通孔２０は上記タンブラピン５の太径部５ｂと細径部５ｃとに対応する段付き孔であり、タンブラピン５は太径部５ｂと細径部５ｃとの境界に形成される段部をタンブラ挿通孔２０側の段部に当接させることにより、キー挿入溝８内への突出量が規制される。
【００１８】
上記タンブラピン５は以下に述べる規則によりプラグ２内に配列される。まず、プラグ２の回転中心に対して直交する任意の面内に２本のタンブラピン５、５を配置する。これら２本のタンブラピン５は上述したように軸中心線５ａがプラグ２の回転中心軸２ａを通り、かつ、同一面内に属するために、軸中心線５ａはプラグ２の回転中心軸２ａ上で交わる関係となり、これら２本のタンブラピン５の対１１を所定ピッチでプラグ２の回転中心軸２ａ方向、すなわち、プラグ２の長手方向にピッチｐで配列してタンブラ群６を形成する。この実施の形態において、タンブラ対１１は、軸中心線５ａの交差角θが１３５°の一対のタンブラピン５から構成され、一方のタンブラピン５は、キー挿入溝８の施解錠キー幅広面対応面８ｃの一方から直交して進退し、他方のタンブラピン５は、施解錠キー３の他の幅広面対応面８ｃ'に対し、キー挿入溝８のプラグ２中心寄り施解錠キー３の幅狭面対応面８ａ側から４５°の傾斜角で進退する。
【００１９】
本発明におけるシリンダ錠は、上記タンブラ群６の複数をプラグ２に配置して構成される。この実施の形態において、プラグ２にはタンブラ対１１における交差角θが同一で、かつ、タンブラ対１１間のピッチｐも同一な２群のタンブラ群６がキー挿入溝８の幅方向中心線に対して線対称に配置され、一方のタンブラ群６のタンブラピン５が他方のタンブラ群６の交差角θを分割する位置に配列される。また、これら２群のタンブラ群６は、図２に示すように、プラグ２の長手方向に半ピッチずれて配置されることにより、プラグ２の長手方向には、半ピッチ毎に異なったタンブラ群６に属するタンブラ対１１が並べられる。タンブラ群６間の関係を示すために、図２において一方のタンブラ群６に属するタンブラ対１１の軸中心線５ａ、５ａによる掃き出し面を符号６Ａで、他方のタンブラ群６に属するタンブラ対１１の軸中心線５ａ、５ａによる掃き出し面を符号６Ｂで示し、さらに、図３以下に一方のタンブラ群６に属するタンブラピン５の軸中心線５ａにより形成される面を符号６Ａ'で、他方のタンブラ群６に属するタンブラピン５の軸中心線５ａにより形成される面を符号６Ｂ'で示す。
【００２０】
一方、プラグケース１には、上記プラグ２の各タンブラ挿通孔２０に連通するドライブピン挿通孔１ａが形成される。ドライブピン挿通孔１ａとタンブラ挿通孔２０は互いに対峙した状態で一直線上に配置され、ドライブピン挿通孔１ａにドライブピン１８が挿入される。ドライブピン１８はタンブラピン５の太径部５ｂとほぼ同一の径寸法を有する円柱体であり、圧縮スプリング２１によりプラグ２中心方向に付勢される。
【００２１】
以上の構成の下、後述する施解錠キー３をキー挿入溝８に挿入しない状態では、プラグ２内のタンブラピン５はドライブピン１８により押されてキー挿入溝８内に突出する。図３に示すように、突出状態において感知部５ｄの先端が互いにプラグ２の回転中心軸２ａ上で接触するように、段部の寸法が適宜決定される。タンブラピン５のキー挿入溝８内への突出により、ドライブピン１８の先端はプラグ２とプラグケース１の回転境界面７を越えてプラグ２内に進入することから回転境界面７はドライブピン１８により閉じられ、プラグ２を回転させることはできない。この状態から、杆状あるいは針金状の工具を使用して各タンブラピン５を操作し、シリンダ錠を不正解錠しようとしても、手前側のタンブラピン５が後方のタンブラピン５へのアクセス経路を閉塞する状態となるために、解錠操作が非常に困難になる。加えて、プラグ２中心寄り施解錠キー３の幅狭面対応面８ａにはＶ字状の突出部１０が設けられているために、当該領域からの工具の挿入が不可能であり、さらに、反対方の領域、すなわち、プラグ２周縁寄りの幅狭面対応面８ａ'からは、一方のタンブラ群６のタンブラ対１１間の交差角θを分割する位置にあるタンブラピン５にアクセスすることができないために、ジグを使用した不正解錠はできない。
【００２２】
上記シリンダ錠に使用する施解錠キー３を図１（ｂ）に示す。施解錠キー３は先端に握り部３ａを備えたブレード部１５を有する。ブレード部１５は矩形状断面形状を有する平板状キーであり、幅狭面９にはプラグ２の突出部１０が嵌合可能なＶ字状のガイド溝１５ａが形成される。図１、４に示すように、ブレード部１５には、複数のキーコード形成凹部１９がディンプル加工により設けられ、各キーコード形成凹部１９はプラグ２のキー挿入溝８に挿入された際にタンブラピン５の感知部５ｄ端面に正対するように、各タンブラピン５の軸中心線５ａに一致した軸中心を有する。ブレードの幅狭面９にガイド溝１５ａを形成することが通常精度の倣い加工機では困難なことに加え、ブレード部１５の幅広面４に対して斜め方向を向いて開設されたキーコード形成凹部１９を倣い加工機で正確に倣うことは一般的に困難なために、当該施解錠キー３の複製作業は困難になる。
【００２３】
以上のように構成される施解錠キー３のブレード部１５をプラグ２のキー挿入溝８に挿入すると、各キーコード形成凹部１９内にタンブラピン５が嵌合し、タンブラピン５は初期位置からキーコード形成凹部１９の深さに対応する位置までプラグケース１側に移動する。キーコード形成凹部１９の深さが対応するタンブラピン５の種類に合致しているとき、すなわち、挿入された施解錠キー３が真正である場合には、図４に示すように、タンブラピン５の太径部５ｂの先端はプラグ２とプラグケース１の回転境界面７に位置し、プラグ２の回転が許容される。一方、キーコード形成凹部１９の深さが深すぎる場合には、ドライブピン１８が回転境界面７を閉じ、キーコード形成凹部１９が浅すぎる場合には、タンブラピン５が回転境界面７を閉じてプラグ２の回転を禁止する。
【００２４】
なお、この実施の形態において、ブレード部１５を表裏反転させた状態でも使用可能なように、キーコード形成凹部１９は、ブレード部１５の幅方向中心線と厚み方向中心線の交点に対して点対称位置に同一形状で２個形成される。
【００２５】
さらに、図５に示すように、上記ブレード部１５にはいずれかのタンブラ対１１に対応するボール収容孔１６とボールアクセス孔１７が設けられ、ボール収容孔１６内に球状のフローティングボール１３が移動自在に収容される。ボール収容孔１６はブレード部１５の幅広面４に対して直交する方向に向けて開設された円形孔であり、円錐からなる底壁１６ａを備え、開口端をかしめてフローティングボール１３の脱落が防止される。フローティングボール１３はブレード部１５を表裏反転させた状態でも使用可能なように、上述したキーコード形成凹部１９と同様に、ブレード部１５の幅方向中心線と厚み方向中心線の交点に対して点対称位置に２個配置される。
【００２６】
一方、プラグ２には上記ボール収容孔１６に対峙して従動ピン１４が、ボールアクセス孔１７に対峙して駆動ピン１２が配置される。これら従動ピン１４と駆動ピン１２は上述したタンブラピン５と同様に太径部１４ａ、１２ａと細径部１４ｂ、１２ｂとを有する段付きピンであり、プラグケース１側のドライブピン１８を介してプラグ２中心方向に付勢される。また、ドライブピン１８をプラグ２中心方向に付勢するための圧縮スプリング２１のバネ力は、駆動ピン１２によるフローティングボール１３の従動ピン１４側への押し上げ力が、従動ピン１４によるフローティングボール１３の押し下げ力より大きくなるように設定されており、駆動ピン１２がボールアクセス孔１７に、従動ピン１４がボール収容孔１６にそれぞれ対峙した状態では常にフローティングボール１３はボール収容孔１６の底壁１６ａから浮いた位置に保持される。この状態におけるフローティングボール１３の浮き上がり量の管理は施解錠キー３と駆動ピン１２側のいずれかで行うことができ、施解錠キー３側でのフローティングボール１３の浮き上がり量の管理は、ボール収容孔１６の開口端にフローティングボール１３の浮き上がり量を規制する基準部を設け、フローティングボール１３は駆動ピン１２から押し上げ力を受けると、常に基準部に当接するまで浮上するようにして行われる。また、駆動ピン１２側での管理は、駆動ピン１２の突出量をタンブラ挿通孔２０の段部により管理して行われる。
【００２７】
したがってこの実施の形態において、施解錠キー３が挿入されない状態においては、駆動ピン１２、および従動ピン１４はドライブピン１８によりプラグ２中心方向に付勢され、ドライブピン１８がプラグ２とプラグケース１との回転境界面７を閉じるためにプラグ２の回転が禁止される。図５に示すように、施解錠キー３が挿入されると、駆動ピン１２がボールアクセス孔１７からボール収容孔１６内に進入し、フローティングボール１３を所定量押し上げる。この状態において、従動ピン１４、および駆動ピン１２のプラグケース１側端部がプラグ２の外周面に一致し、プラグ２とプラグケース１との回転境界面７を開いてプラグ２の回転を許容する。
【００２８】
ボール収容孔１６内で移動するフローティングボール１３を備えた施解錠キー３は、上述したように、倣い加工機による複製がきわめて困難である上に、この実施の形態で示したように、解錠状態でフローティングボール１３がブレード部１５の一般面（この実施の形態では幅広面４）から突出するように設定すると、解錠状態を模倣して倣い加工機による複製を行った施解錠キー３はキー挿入溝８から差し込めないために、倣い加工機による複製が不可能になる。
【００２９】
【発明の効果】
以上の説明から明らかなように、本発明によれば、施解錠キーの複製、および不正解錠操作を不可能にすることができる。
【図面の簡単な説明】
【図１】本発明を示す図で、（ａ）はタンブラピンの配置を示すシリンダ錠の斜視図、（ｂ）は施解錠キーの斜視図である。
【図２】シリンダ錠の断面図である。
【図３】図２の３Ａ−３Ａ線断面図である。
【図４】真正な施解錠キーを挿入した状態を示す図３に対応する断面図である。
【図５】図２の５Ａ−５Ａ線断面図である。
【図６】ボール収容孔とボールアクセス孔を一直線に配置した状態を示す説明図で、（ａ）は解錠状態を示す図、（ｂ）は１８０°回転させた状態を示す図である。
【符号の説明】
１     プラグケース
２     プラグ
２ａ   回転中心軸
３     施解錠キー
４     幅広面
５     タンブラピン
５ａ    軸中心線
６     タンブラ群
７     回転境界面
８     キー挿入溝
９     幅狭面
１０     突出部
１１     タンブラ対
１２     駆動ピン
１３     フローティングボール
１４     従動ピン
１５     ブレード部
１６     ボール収容孔
１７     ボールアクセス孔
θ     交差角
【図１】
0003789419.tif 000002
【図２】
0003789419.tif 000003
【図３】
0003789419.tif 000004
【図４】
0003789419.tif 000005
【図５】
0003789419.tif 000006
【図６】
0003789419.tif 000007